(57)【要約】      （修正有）【課題】上肢、下肢、腹筋等様々な部位のトレーニングを行うフィットネス・トレーニング器具を提供する。【解決手段】フィットネス・トレーニング器具は、第一トーションバネによって一組の枢設桿ユニット１０の二本の桿体１１の間に連結し，二本の桿体が外力を受けて外向きに開いたり、内向きに閉じたりした時、該第一トーションバネの伸びもしくは圧縮によって運動の抵抗力を提供し、該外力がなくなると、該第一トーションバネの弾性によって回復し、上肢、下肢をトレーニングする。更に二本の桿体の末端にそれぞれハンドル１２を軸設し、各ハンドルと桿体の間に第二トーションバネを設置する。使用者はハンドルを握って該桿体と相対して回転させて腕のトレーニングに使用し、使用者がハンドルを離すと、該第二トーションバネは弾性によって回復する。【選択図】図１
0003162679.tif 000002
【実用新案登録請求の範囲】
【請求項１】
フィットネス・トレーニング器具において、
相対して外向きに開いたり、内に閉じたりする二本の桿体を備え、且つ各桿体の末端にはハンドルを設置する一組の枢設桿ユニットと、
各ハンドルが、それぞれ該二本の桿体末端に軸設し、更に桿体との間に第二トーションバネを設置する二ハンドルと、
枢設桿ユニットの二本の桿体間に設置して，二本の桿体が常態時に一固定夾角を維持するのに用い、二本の桿体が外力を受けて外向きに開いたり内向きに閉じたりする過程で運動の抵抗力を提供する第一トーションバネを含むことを特徴とするフィットネス・トレーニング器具。
【請求項２】
前記各桿体末端は支持桿を成形し、該第二トーションバネは該支持桿上に設置し、該支持桿は第二トーションバネ上方に相対して固定蓋を固定することを特徴とする請求項１記載のフィットネス・トレーニング器具。
【請求項３】
前記支持桿上に固定孔を設置し、該固定孔は固定蓋を固定するのに用いることを特徴とする請求項２記載のフィットネス・トレーニング器具。
【請求項４】
前記第二トーションバネは、一端を桿体に予め設置した第一穿孔内に差し込み、また該第二トーションバネの別端はハンドルに予め設置した第二穿孔内に差し込むことを特徴とする請求項１もしくは２記載のフィットネス・トレーニング器具。
【請求項５】
前記二本の桿体は、桿側にソフトプラスチック部品を設置して使用者の腿部を押さえることを特徴とする請求項１もしくは２記載のフィットネス・トレーニング器具。
【請求項６】
前記各該ハンドルは、二個の半部を組み合わせて構成されることを特徴とする請求項１もしくは２記載のフィットネス・トレーニング器具。
【考案の詳細な説明】
【技術分野】
【０００１】
本考案は、フィットネス健康器具に関するもので、特に使用者が上肢、下肢、腹筋等様々な部位のトレーニングを行うフィットネス・トレーニング器具に係わる。
【背景技術】
【０００２】
周知の通り、適度な運動は、心肺機能や体力を高め、筋肉や骨格を強化し、基礎代謝を上げてエネルギーや脂肪を消費し、疾病や合併症を減らす。しかしながら、忙しい生活において、多くの人はなかなか戸外で運動する時間を取ることができず、他に生活面のプレッシャーや仕事のストレス、または天気の影響で、外で運動することが困難になっている。
【０００３】
このため、市場では室内で使用するフィットネス器材が多く出ており、現代人の適度な運動の要求を満たしている。そのうち、これらの戸外運動を模したフィットネス器材(例としてエアロバイク、ランニングマシン、ローイングマシン)に欠けているのは，戸外運動を模倣しているために体積が大きくなる他に、価格が高くなり、更には多くは運動の種類や機能が単一になってしまうことである。
【０００４】
この他、市場では特定の部位を鍛えるフィットネス器材(例としてダンベル、ハンドグリップ、握力棒等)が多く出ている。特定部位を鍛えるためのフィットネス器材には単一の運動方式もしくは機能しかないため、実用性が明らかに不足し、使用者は反対に運動意欲を失ってしまいやすい。
【考案の概要】
【考案が解決しようとする課題】
【０００５】
解決しようとする問題点は、体積が大きくなり、価格が高くなる他に、単一の運動方式及び機能しかない点である。
【課題を解決するための手段】
【０００６】
本考案は、第一トーションバネによって一組の枢設桿ユニットの二本の桿体の間に連結し，二本の桿体が外力を受けて外向きに開いたり、内向きに閉じたりした時、該第一トーションバネの伸びもしくは圧縮によって運動の抵抗力を提供し、該外力がなくなると、該第一トーションバネの弾性によって回復し、上肢、下肢をトレーニングする。更に二本の桿体の末端にそれぞれハンドルを軸設し、各ハンドルと桿体の間に第二トーションバネを設置する。使用者はハンドルを握って該桿体と相対して回転させて腕のトレーニングに使用し、使用者がハンドルを離すと、該第二トーションバネは弾性によって回復することを最も主要な特徴とする。
【考案の効果】
【０００７】
本考案のフィットネス・トレーニング器具は上肢、下肢、腹筋等様々な部位のトレーニングを行うという利点がある。
【図面の簡単な説明】
【０００８】
【図１】本考案のフィットネス・トレーニング器具の外観立体図である。
【図２】本考案のフィットネス・トレーニング器具の構造分解図である。
【図３】本考案の二本の桿体の枢設端の構造断面図である。
【図４】本考案のフィットネス・トレーニング器具の構造断面図である。
【図５】本考案のフィットネス・トレーニング器具で上肢運動する使用参考図である。
【図６】本考案のフィットネス・トレーニング器具で下肢運動する使用参考図である。
【図７】本考案のフィットネス・トレーニング器具で腹筋運動する使用参考図である。
【図８】本考案のハンドルと桿体の軸設箇所の構造断面図である。
【図９】本考案のフィットネス・トレーニング器具で腕筋肉運動する使用参考図である。
【考案を実施するための形態】
【０００９】
使用者が上肢もしくは下肢をトレーニングするフィットネス・トレーニング器具を提供することを本考案の主な目的とする。
【００１０】
上述の目的のため、本考案のフィットネス・トレーニング器具は、一組の枢設桿ユニットを備える。該枢設桿ユニットは相対して外向きに開いたり、内向きに閉じたりする二本の桿体を備え、二本の桿体の間には第一トーションバネを設置して二本の桿体が常態時に一固定夾角を保つのに使用され、二本の桿体が外力を受けて外向きに開いたり内向きに閉じたりする過程において、該第一トーションバネの伸びもしくは圧縮により運動の抵抗力を提供する。
【００１１】
フィットネス・トレーニング器具全体は、使用者が両手で桿体を握り、手の力で二本の桿体を相当程度、外向きに開いたり、内向きに閉じたりすることで，上肢をトレーニングする目的を達成する。更に使用者は両足で桿体の箇所を押さえ、足の力で二本の桿体を相当程度、外向きに開いたり、内向きに閉じたりすることで下肢をトレーニングする目的を達成する。
【００１２】
上肢運動をする時、二本の桿体の枢設箇所の一端を腹部で押さえ、腹部の力でフィットネス・トレーニング器具を支持することで、腹筋をトレーニングすることを本考案の次の目的とする。
【００１３】
二本の桿体の末端にハンドルをそれぞれ軸設し、ハンドルと桿体の間に第二トーションバネを設置し、両手でハンドルをつかみ、腕の力でハンドルを回転させ、腕をトレーニングすることを本考案の更に次の目的とする。
【実施例】
【００１４】
本考案の特徴を図式で示しながら、実施例を挙げて詳細に説明する。
図１から図３に示すとおり、本考案のフィットネス・トレーニング器具は、一組の枢設桿ユニット１０及び第一トーションバネ２０を含む。そのうち、
【００１５】
該組の枢設桿ユニット１０は、相対して外向きに開いたり、閉じたりする二本の桿体１１を備える。該第一トーションバネ２０は、枢設桿ユニット１０の二本の桿体１１間に設置して二本の桿体２０が常時一固定夾角の状態を維持するのに用い、二本の桿体１１が外力を受けて相対して外向きに開いたり内に閉じたりする過程において、該第一トーションバネ２０が伸びたり圧縮したりする抵抗力によって、該外力が消失した時に該第一トーションバネ２０の弾性によって元に戻る。
【００１６】
更に該組の枢設桿ユニット１０は、二本の桿体１１末端にハンドル１２を設置して、それを使用者が握る。各ハンドル１２は、二個の半部１２１が相互に組み合わさって構成され、別に該二本の桿体１１の桿側にはハンドル１２と相互に対応するソフトプラスチック部品１３を設置し、ソフトプラスチック部品１３によって使用者の腿部を押さえる構造体を形成している。
【００１７】
具体的に実施する時、該二個のハンドル１２は、それぞれ該二本の桿体１１末端に軸設し、更にハンドル１２と桿体１１の間に第二トーションバネ１４を設置する。図２及び図８に示すとおり、該桿体１１の末端には支持桿１１１を成形し、該支持桿１１１上には固定孔１１２を貫設し、該第二トーションバネ１４を支持桿１１１に嵌入した後、固定蓋１１３で固定孔１１２上を塞ぎ、ネジ１１４で固定する。更に第二トーションバネ１４を桿体１１上で固定し、且つ該第二トーションバネ１４の一端は、桿体１１に予め設置した第一穿孔１１５内に差し込む。また該第二トーションバネ１４の別端はハンドル１２に予め設置した第二穿孔１２２内に差し込み、第二トーションバネ１４で桿体１１とハンドル１２の間を結合し、使用者はハンドル１２を握って桿体１１と相対して回転させる。同時に図９に示すとおり、第二トーションバネ１４で回転の抵抗力を提供し、腕をトレーニングする目的を達成し、使用者がハンドル１２を開いた時、該第二トーションバネ１４はその弾性により回復する。
【００１８】
本考案のフィットネス・トレーニング器具を使用する時、図５に示すとおり、使用者は両手で桿体１１を握り、腕の力で、二本の桿体１１を相当程度、外向きに開いたり、内向きに閉じたりすることで、上肢をトレーニングする目的を達成する。更に図６に示すとおり、使用者は両足で桿体１１を押さえ、足の力で、二本の桿体１１を相当程度、外向きに開いたり、内向きに閉じたりすることで下肢をトレーニングする目的を達成する。
【００１９】
更に図７に示すとおり、上肢運動を行う時、二本の桿体１１が相互に枢設する一端を腹部に当ててフィットネス・トレーニング器具を支え、腹筋を鍛える目的を達成する。
【００２０】
上述のとおり、本考案は実行可能なフィットネス・トレーニング器具を提供し、実用新案登録を申請する。本考案の技術内容及び技術特徴は、上述のとおりであるが、本領域に習熟した者が可能基於本考案の提示を元に各種の本考案の精神から乖離しない入替及び修飾を行うかもしれない。拠って本考案の保護範囲は、実施例に制限されず、各種の不背離本考案から乖離しない入替及び修飾を以下の請求範囲に含むこととする。
【符号の説明】
【００２１】
１０        枢設桿ユニット
１１        桿体
１１１      支持桿
１１２      固定孔
１１３      固定蓋
１１４      ネジ
１１５      第一穿孔
１２        ハンドル
１２１      半部
１２２      第二穿孔
１３        ソフトプラスチック部品
１４        第二トーションバネ
２０        第一トーションバネ
【図１】
0003162679.tif 000003
【図２】
0003162679.tif 000004
【図３】
0003162679.tif 000005
【図４】
0003162679.tif 000006
【図５】
0003162679.tif 000007
【図６】
0003162679.tif 000008
【図７】
0003162679.tif 000009
【図８】
0003162679.tif 000010
【図９】
0003162679.tif 000011